(57)【要約】【課題】広範囲での表示が可能となり、障害物によって遮られ難くなって、視認性を向上させることができる表示錠を提供する。【解決手段】表示錠１１において、扉１３に設けられ施解錠方向に回転される軸３９と、軸３９に同軸に固定され軸３９に直交する表示面６５を有するとともに、表示面６５には円周方向の等分割領域のそれぞれに異なる色の第１表示部６７と第２表示部６９とが同心円状で配設され、且つ隣接する等分割領域では第１表示部６７と第２表示部６９とが回転半径方向に位相を変えて配設される回転板６３と、回転板６３を覆って扉１３に固定され円周方向の等分割領域のそれぞれに回転板６３の所定回転角度毎に第１表示部６７または第２表示部６９のいずれか一方を選択的に表出させるスリット窓７５が同心円状で配設され且つ隣接する等分割領域ではスリット窓７５が回転半径方向に位相を変えて配設されるカバー３１と、を設けた。【選択図】  図２
2014055415.tif 000002
【特許請求の範囲】
【請求項１】
扉に設けられ施解錠方向に回転される軸と、
前記軸に同軸に固定され前記軸に直交する表示面を有するとともに、前記表示面には円周方向の等分割領域のそれぞれに異なる色の第１表示部と第２表示部とが同心円状で配設され、且つ隣接する前記等分割領域では前記第１表示部と前記第２表示部とが回転半径方向に位相を変えて配設される回転板と、
前記回転板を覆って前記扉に固定され円周方向の等分割領域のそれぞれに前記回転板の所定回転角度毎に前記第１表示部または前記第２表示部のいずれか一方を選択的に表出させるスリット窓が同心円状で配設され且つ隣接する前記等分割領域では前記スリット窓が回転半径方向に位相を変えて配設されるカバーと、
を具備することを特徴とする表示錠。
【請求項２】
請求項１記載の表示錠であって、
前記回転板が、前記第１表示部または前記第２表示部のいずれか一方の色で前記表示面が着色されるとともに、前記第１表示部または前記第２表示部のいずれか他方の領域位置に穿設されるスリット穴を有するスリット穴付回転板よりなり、
前記スリット穴付回転板の背面側に配置され前記第１表示部または前記第２表示部のいずれか他方の色に着色される面を有する着色板を具備することを特徴とする表示錠。
【請求項３】
請求項１記載の表示錠であって、
前記回転板は、
前記第１表示部または前記第２表示部のいずれか一方の色で前記表示面が着色されるとともに、前記第１表示部または前記第２表示部のいずれか他方の領域位置に穿設されるスリット穴を有するスリット穴付回転板と、
前記スリット穴付回転板の背面側に重ねられて一体に回転され前記第１表示部または前記第２表示部のいずれか他方の色に重ね合わせ面が着色される回転着色板と、
からなることを特徴とする表示錠。
【請求項４】
請求項２または３記載の表示錠であって、
前記スリット穴付回転板の表示面が、施錠を示す色に着色されていることを特徴とする表示錠。
【請求項５】
請求項２または３または４記載の表示錠であって、
前記スリット窓およびまたはスリット穴の内周面が外拡がりのテーパー面で形成され、且つ前記テーパー面が反射面で形成されていることを特徴とする表示錠。
【発明の詳細な説明】
【技術分野】
【０００１】
本発明は、扉の施錠状態または解錠状態が表示される表示錠に関する。
【背景技術】
【０００２】
トイレや浴室などに用いられる開き戸や引き戸などの扉において、扉の施錠状態または解錠状態を室外から認識できるようにした表示錠が知られている（特許文献１、２等参照）。例えば特許文献１に開示の表示錠は、施錠状態であることを表示する施錠表示部と、解錠状態であることを表示する解錠表示部が、施錠操作または解錠操作により切り替わって、そのいずれか一方の表示部が表示窓に表示されるように構成される。また、施錠表示部および解錠表示部をそれぞれ異なる色に着色した透光性を有する材料で形成するとともに、室内側に設けた光導入部から導入された光が、光通過部を通過して、室外側に設けた表示窓に表示された表示部を透光状態に表示するようにしている。これにより、施錠表示部と解錠表示部のどちらが表示窓に表示されているかをはっきりと視認することができ、施錠状態または解錠状態であること認識し易くしている。
【先行技術文献】
【特許文献】
【０００３】
【特許文献１】特開２００８−５７１０６号公報
【特許文献２】特開平１０−８２２１９号公報
【発明の概要】
【発明が解決しようとする課題】
【０００４】
しかしながら、従来の表示錠は、表示部を透光状態に表示して視認性を高めているが、円板状の表示部に設けられる施錠表示部または解錠表示部が、カバー部材に設けられた小さな表示窓を通して表示されるため、表示面積が小さく、視認性を十分に向上させることはできなかった。また、小さい表示面積では、表示領域を広範囲に確保できず、障害物によって遮られ易くなって、左右上下方向からでは視認性の低下する虞があった。
【０００５】
本発明は上記状況に鑑みてなされたもので、その目的は、広範囲での表示が可能となり、障害物によって遮られ難くなって、視認性を向上させることができる表示錠を提供することにある。
【課題を解決するための手段】
【０００６】
次に、上記の課題を解決するための手段を、実施の形態に対応する図面を参照して説明する。
本発明の請求項１記載の表示錠１１は、扉１３に設けられ施解錠方向に回転される軸３９と、
前記軸３９に同軸に固定され前記軸３９に直交する表示面６５を有するとともに、前記表示面６５には円周方向の等分割領域のそれぞれに異なる色の第１表示部６７と第２表示部６９とが同心円状で配設され、且つ隣接する前記等分割領域では前記第１表示部６７と前記第２表示部６９とが回転半径方向に位相を変えて配設される回転板６３と、
前記回転板６３を覆って前記扉１３に固定され円周方向の等分割領域のそれぞれに前記回転板６３の所定回転角度毎に前記第１表示部６７または前記第２表示部６９のいずれか一方を選択的に表出させるスリット窓７５が同心円状で配設され且つ隣接する前記等分割領域では前記スリット窓７５が回転半径方向に位相を変えて配設されるカバー３１と、
を具備することを特徴とする。
【０００７】
この表示錠１１では、例えば円周を四等分した等分割領域のそれぞれに、第１表示部６７と第２表示部６９とが同心円上に配設され、隣接する等分割領域では第１表示部６７と第２表示部６９とが回転半径方向に位相を変えて配設される。つまり、第１表示部６７と第２表示部６９とは、回転中心を挟んで対向するものが同一配列となる。それぞれの第１表示部６７および第２表示部６９は、所定ピッチで同心円上となった例えば複数の円弧状に形成できる。一方、カバー３１の等分割領域のそれぞれにはスリット窓７５が同心円状で配設され且つ隣接する等分割領域ではスリット窓７５が回転半径方向に位相を変えて配設される。軸３９は、施解錠の際、例えば略角度９０度の範囲で回転される。従って、軸３９とともに回転される回転板６３は、９０度の回転角度範囲で第１表示部６７と第２表示部６９との位置が入れ替わることとなる。例えば施錠状態において、スリット窓７５は第１表示部６７を表出させ、解錠状態において、スリット窓７５は第２表示部６９を表出させる。これにより、カバー３１に配設されるスリット窓７５は、施錠状態と解錠状態とで異なる第１表示部６７または第２表示部６９のいずれか一方を円周方向の全域に渡って選択的に表示させることが可能となる。
【０００８】
本発明の請求項２記載の表示錠１１は、請求項１記載の表示錠１１であって、
前記回転板６３が、前記第１表示部６７または前記第２表示部６９のいずれか一方の色で前記表示面６５が着色されるとともに、前記第１表示部６７または前記第２表示部６９のいずれか他方の領域位置に穿設されるスリット穴７１を有するスリット穴付回転板５７よりなり、
前記スリット穴付回転板５７の背面側に配置され前記第１表示部６７または前記第２表示部６９のいずれか他方の色に着色される面を有する着色板を具備することを特徴とする。
【０００９】
この表示錠１１では、カバー３１と着色板との間でスリット穴付回転板５７が軸３９とともに回転する。回転板６３の表示面６５が例えば第１表示部６７の色に着色され、スリット穴７１を通して見える着色板の面が第２表示部６９の色とされる。例えば施錠状態ではスリット窓７５から第１表示部６７が表出し、解錠状態の場合ではスリット窓７５から第２表示部６９である着色板がスリット穴７１を通して表出となる。各色が、別体部材とされ、塗料による同一面での塗り分けによらず、第１表示部６７と第２表示部６９とが異なる色で表示可能となる。
【００１０】
本発明の請求項３記載の表示錠１１は、請求項１記載の表示錠１１であって、
前記回転板６３は、
前記第１表示部６７または前記第２表示部６９のいずれか一方の色で前記表示面６５が着色されるとともに、前記第１表示部６７または前記第２表示部６９のいずれか他方の領域位置に穿設されるスリット穴７１を有するスリット穴付回転板５７と、
前記スリット穴付回転板５７の背面側に重ねられて一体に回転され前記第１表示部６７または前記第２表示部６９のいずれか他方の色に重ね合わせ面７３が着色される回転着色板５５と、
からなることを特徴とする。
【００１１】
この表示錠１１では、回転板６３の表示面６５が例えば第１表示部６７の色に着色され、スリット穴７１から表出する重ね合わせ面７３が第２表示部６９の色に着色され、塗料による同一面での塗り分けによらず、第１表示部６７と第２表示部６９とが異なる色で表示可能となる。
【００１２】
本発明の請求項４記載の表示錠１１は、請求項２または３記載の表示錠１１であって、
前記スリット穴付回転板５７の表示面６５が、施錠を示す色に着色されていることを特徴とする。
【００１３】
この表示錠１１では、特に状態を強調したい施錠状態を表す第１表示部６７または第２表示部６９の色が、カバー３１に近接するスリット穴付回転板５７の表示面６５に施されて見え易くなる。
【００１４】
本発明の請求項５記載の表示錠１１は、請求項２または３または４記載の表示錠１１であって、
前記スリット窓７５およびまたはスリット穴７１の内周面が外拡がりのテーパー面７７で形成され、且つ前記テーパー面７７が反射面で形成されていることを特徴とする。
【００１５】
この表示錠１１では、二色表示とする場合には、第１表示部６７と第２表示部６９との比率は最大で全表示面積の５０％までとなり、これらのいずれか一方を選択的に表出させるスリット窓７５の開口率も同じとなるが、スリット窓７５にテーパー面７７が形成されることで、この開口率を大きくすることができる。さらに、テーパー面７７に反射面が形成されることで、大きくなった開口率の全てにおいて表示が可能となる。
【発明の効果】
【００１６】
本発明に係る請求項１記載の表示錠によれば、同心円状に配設されるスリット窓により広範囲での表示が可能となり、また同心円状に配置されることで障害物によって遮られ難くなって、視認性を向上させることができる。
【００１７】
本発明に係る請求項２記載の表示錠によれば、回転板をスリット穴付回転板とし、その背面にスリット穴を通して見える着色板を配置してので、同一の回転板の表示面に、塗り分けによって第１表示部と第２表示部とを形成する場合に比べ、第１表示部および第２表示部を変色や退色し難くできる。
【００１８】
本発明に係る請求項３記載の表示錠によれば、回転板をスリット穴付回転板と回転着色板とで構成し、スリット穴を通して回転着色板が見えるので、同一の回転板の表示面に、塗り分けによって第１表示部と第２表示部とを形成する場合に比べ、第１表示部および第２表示部を退色し難くできる。
【００１９】
本発明に係る請求項４記載の表示錠によれば、施錠状態を表示する色を、解錠状態を表示する色よりもカバーに近接させて、視認性を高めることができる。
【００２０】
本発明に係る請求項５記載の表示錠によれば、スリット窓の開口面積を最大開口率による開口面積よりもさらに大きくできる。
【図面の簡単な説明】
【００２１】
【図１】本発明に係る表示錠を扉と共に表した斜視図である。
【図２】図１に示した表示錠の分解斜視図である。
【図３】施錠時における回転着色板、スリット穴付回転板および表示錠の正面図を（ａ１）〜（ａ３）、回転途中を（ｂ１）〜（ｂ３）、解錠状態を（ｃ１）〜（ｃ３）に表した動作説明図である。
【図４】施錠時における表示錠の正面図である。
【図５】施錠時における表示錠の縦断面図である。
【図６】解錠時における表示錠の正面図である。
【図７】解錠時における表示錠の縦断面図である。
【図８】スリット窓にテーパー面が設けられた変形例に係る表示錠の施錠状態における縦断面図である。
【図９】図８に示した表示錠の解錠状態における縦断面図である。
【発明を実施するための形態】
【００２２】
以下、本発明に係る実施形態を図面を参照して説明する。
図１は本発明に係る表示錠を扉と共に表した斜視図、図２は図１に示した表示錠の分解斜視図である。
本実施形態に係る表示錠１１は、例えばトイレや浴室などの扉１３に好適に用いられる。扉１３には図示しない錠箱が設けられ、錠箱は扉１３の木口１５に固定ビス１７によって取り付けられるフロント板１９によって覆われる。フロント板１９には錠箱からのデッドボルト２１を進退させるためのボルト貫通穴２３が穿設される。また、ボルト貫通穴２３の下方のフロント板１９には、施錠トリガー２５を進退させるトリガー貫通穴２７が穿設される。扉１３の室外面２９には表示錠１１のカバー３１がカバー固定ビス３３によって固定される。
【００２３】
図２に示すように、表示錠１１は、扉１３の室外面２９に穿設された取付穴３５に有底筒状のベースケース３７が取り付けられる。取付穴３５には施解錠方向に回転される軸３９が略同一中心で設けられる。扉１３の室内面にはレバー４１（図４参照）が設けられ、レバー４１は略９０度の回転角度範囲で回転操作されることにより、錠箱へ操作力を伝え、デッドボルト２１を進退させて扉１３を施解錠可能とする。上記の軸３９は、この施解錠回転に伴って、略９０度の回転角度範囲で回転される。
【００２４】
ベースケース３７には透孔４３が穿設され、透孔４３には軸３９が貫通する。透孔４３を貫通した軸３９には軸受け環４５が通され、さらに先端には連結操作軸４７が相対回転不能に係合される。連結操作軸４７は、断面十字形状の軸３９に、十字方向に切り込み４９の入れられた連結凹部５１が嵌合して軸３９に対し相対回転不能に係合される。連結操作軸４７の先端面には溝状の非常用操作部５３が形成される。連結操作軸４７は、円板状の回転着色板５５およびスリット穴付回転板５７を順次貫通する。回転着色板５５およびスリット穴付回転板５７は、連結操作軸４７に形成された係止平面５９に、回転止め係止縁６１を当てることで連結操作軸４７と相対回転不能に取り付けられる。つまり、回転着色板５５とスリット穴付回転板５７とは、軸３９と一体に回転される。
【００２５】
ところで、回転着色板５５とスリット穴付回転板５７とは、回転板６３を構成している。回転板６３は、軸３９に同軸に固定され軸３９に直交する表示面６５を有する。表示面６５には円周方向の等分割領域のそれぞれに異なる色の第１表示部６７と第２表示部６９（図３（ａ２）参照）とが同心円状で配設され且つ隣接する等分割領域では第１表示部６７と第２表示部６９とが回転半径方向に位相を変えて配設される。
【００２６】
本実施形態において、回転板６３は、第１表示部６７または第２表示部６９のいずれか一方の色で表示面６５が着色されるとともに第１表示部６７または第２表示部６９のいずれか他方の領域位置に穿設されるスリット穴７１（図５参照）を有するスリット穴付回転板５７と、スリット穴付回転板５７の背面側に重ねられて一体に回転され第１表示部６７または第２表示部６９のいずれか他方の色に重ね合わせ面７３が着色される回転着色板５５と、からなる。
【００２７】
本実施形態においては、第１表示部６７は施錠状態を表す例えば「赤色」となる。また、第２表示部６９は解錠状態を表す「青色」となる。従って、本実施形態では、スリット穴付回転板５７の表示面６５が、一方の色である施錠を示す赤色となり、回転着色板５５の重ね合わせ面７３がスリット穴７１を通して見える他方の色である解錠を示す青色となっている。
【００２８】
扉１３の室外面２９には、これら回転板６３を覆って有底円筒状のカバー３１がカバー固定ビス３３によって固定される。カバー３１は、円周方向の等分割領域のそれぞれに回転板６３の所定回転角度（略９０度）毎に第１表示部６７または第２表示部６９のいずれか一方を選択的に表出させるスリット窓７５が同心円状で配設され且つ隣接する等分割領域ではスリット窓７５が回転半径方向に位相を変えて配設、すなわち、周方向に交互となって配置される。
【００２９】
表示錠１１では、図３（ａ２）に示すスリット穴付回転板５７において、円周を四等分した等分割領域のそれぞれに、第１表示部６７と第２表示部６９（スリット穴７１）とが同心円上に配設される。隣接する等分割領域では第１表示部６７と第２表示部６９とが回転半径方向に位相を変えて配設される。つまり、第１表示部６７と第２表示部６９とは、回転中心を挟んで対向するものが同一配列となる。それぞれの第１表示部６７および第２表示部６９は、所定ピッチで同心円上となった例えば複数の円弧状に形成でき、同幅長のライン状とされる。
【００３０】
一方、図３（ａ３）に示すカバー３１の等分割領域のそれぞれにはスリット窓７５が同心円状で配設され且つ隣接する等分割領域ではスリット窓７５が回転半径方向に位相を変えて配設、すなわち周方向に交互となって配置される。これらスリット窓７５は、スリット穴付回転板５７の各スリット穴７１と同一の形状であり、配設位置を同一なものとして形成される。
【００３１】
次に、上記構成を有する表示錠１１の作用を説明する。
図３は施錠時における回転着色板５５、スリット穴付回転板５７および表示錠１１の正面図を（ａ１）〜（ａ３）、回転途中を（ｂ１）〜（ｂ３）、解錠状態を（ｃ１）〜（ｃ３）に表した動作説明図、図４は施錠時における表示錠１１の正面図、図５は施錠時における表示錠１１の縦断面図、図６は解錠時における表示錠１１の正面図、図７は解錠時における表示錠１１の縦断面図である。
軸３９は、施解錠の際、略角度９０度の範囲で回転される。従って、軸３９とともに回転される回転板６３である回転着色板５５およびスリット穴付回転板５７は、９０度の回転角度範囲で、図３（ａ２）と図３（ｃ２）とに示すように、第１表示部６７と第２表示部６９との位置が入れ替わることとなる。なお、図３（ｂ１）、図３（ｃ１）の円弧形状の破線はカバー３１のスリット窓７５及びスリット穴付回転板５７のスリット穴７１を通して見える青色の見える範囲を示す。
【００３２】
例えば図４に示す施錠状態において、スリット窓７５は図５に示すように、第１表示部６７、すなわちスリット穴付回転板５７の表示面６５の赤色のみを表出させる。これに対し、図６に示す解錠状態において、スリット窓７５は図７に示すように、第２表示部６９である青色を表出させる。すなわち、カバー３１のスリット窓７５及びスリット穴付回転板５７のスリット穴７１が重なり、連通状態となって、これらを通して回転着色板５５の青色が表出する。これにより、カバー３１に配設されるスリット窓７５は、図３（ａ３）の施錠状態と、図３（ｃ３）の解錠状態とで異なる第１表示部６７（赤色）または第２表示部６９（青色）のいずれか一方を円周方向の全域に渡って分断された略リング状に選択的に表示させることが可能となる。
【００３３】
表示錠１１では、回転板６３の表示面６５が例えば第１表示部６７の色に着色され、スリット穴７１から表出するスリット穴付回転板５７の重ね合わせ面７３が第２表示部６９の色に着色される。すなわち、塗料による同一面での塗り分けによらずに、第１表示部６７と第２表示部６９とが異なる色で表示可能となる。これにより、同一の回転板６３の表示面６５に、塗り分けによって第１表示部６７と第２表示部６９とを形成する場合に比べ、それぞれが単色で着色構成されることで製作が容易であり、第１表示部６７および第２表示部６９を互いに変色や退色し難くできる。
【００３４】
また、表示錠１１では、特に状態を強調したい施錠状態を表す第１表示部６７または第２表示部６９の色が、カバー３１に近接するスリット穴付回転板５７の表示面６５に施されて見え易くなる。すなわち、本実施形態のように、スリット穴付回転板５７の表示面６５を第１表示部６７である赤色とすることで、施錠状態を表示する赤色を、解錠状態を表示する青色よりもカバー３１に近接させることとなり、カバー３１の厚み分の奥方に赤色が表出し視認性を高めることができる。
【００３５】
なお、上記実施形態では、回転板６３が、回転着色板５５とスリット穴付回転板５７とによって構成され、すなわち別体の部材を一体として構成しているが、この回転板６３は、例えば、裏面に粘着剤を塗布したシール紙を用いて、一枚に第１表示部６７と第２表示部６９とが色分けされて構成されるものであってもよい。この場合、構成部材数が削減でき、コストダウンとなる。
【００３６】
また、上記実施形態では、各状態の色として、青色と赤色としてが、例えば施錠を示す表示色を蓄光塗料による着色としてもよく、施錠状態を発光表示することが可能となる。
【００３７】
さらに、上記実施形態では、回転板６３が、回転着色板５５とスリット穴付回転板５７とを一体として軸３９とともに回転する構成としているが、この回転板６３を上記同様のスリット穴付回転板５７として、このスリット穴付回転板５７の背面側に着色板を配置する構成としてもよい。すなわち、着色板は第２表示部６９の色で着色され、ベースケース３７内に固定して、軸３９とは連動させずに連結操作軸４７に係合しない構成とする。この構成によれば、着色板の表面とカバー３１の内面との間で回転着色板５５が軸３９とともに回転することとなり、カバー３１のスリット窓７５からは、第１表示部６７としてスリット穴付回転板５７の表示面６５が表出し、また、第２表示部６９としてスリット穴付回転板５７のスリット穴７１を通して着色板の面が表出する。
【００３８】
すなわち、この実施形態では、スリット穴付回転板５７が施解錠の操作にて回転することで、カバー３１のスリット窓７５から表出する第１表示部及び第２表示部を切り替えられるが、回転せずに固定された着色板に対して、スリット穴７１がスリット窓７５と一致し着色板を露出状態とする位置と、スリット窓７５から着色板を隠してスリット穴付回転板５７の表示面を露出する位置とを切り替えるようになっている。
【００３９】
図８はスリット窓７５にテーパー面７７が設けられた変形例に係る表示錠１１の施錠状態における縦断面図、図９は図８に示した表示錠１１の解錠状態における縦断面図である。
なお、表示錠１１は、スリット窓７５の内周面が外拡がりのテーパー面７７で形成され、且つテーパー面７７が反射面で形成されていることが好ましい。
二色表示とする場合には、第１表示部６７と第２表示部６９との比率は最大で全表示面積の５０％までとなり、これらのいずれか一方を選択的に表出させるスリット窓７５の開口率も同じとなるが、スリット窓７５にテーパー面７７が形成されることで、この開口率を大きくすることができる。さらに、テーパー面７７に反射面が形成されることで、大きくなった開口率の全てにおいて表示が可能となる。これにより、スリット窓７５の開口面積を最大開口率による開口面積よりもさらに大きくでき、視認性を一層、向上させることができる。
【００４０】
同様に、スリット穴７１も、図９に示すように、内周面が外拡がりのテーパー面７７で形成され、且つテーパー面７７が反射面で形成されていることが好ましい。これにより、スリット窓７５の反射面とスリット穴７１の反射面とを連続させ、開口面積を最大開口率による開口面積よりもさらに大きくして、視認性を一層、向上させることができる。
【００４１】
なお、表示錠１１では、１か所に大きな開口を有する従来の表示構造と異なり、開口面積の小さいスリット構造なので、棒等がこれらから差し込まれてレバー４１が回されることも防止できる。
【００４２】
従って、本実施形態に係る表示錠１１によれば、広範囲での表示が可能となり、障害物によって遮られ難くなって、視認性を向上させることができる。
【符号の説明】
【００４３】
１１…表示錠
１３…扉
３１…カバー
３９…軸
５５…回転着色板
５７…スリット穴付回転板
６３…回転板
６５…表示面
６７…第１表示部
６９…第２表示部
７１…スリット穴
７３…重ね合わせ面
７５…スリット窓
７７…テーパー面
【図１】
2014055415.tif 000003
【図２】
2014055415.tif 000004
【図３】
2014055415.tif 000005
【図４】
2014055415.tif 000006
【図５】
2014055415.tif 000007
【図６】
2014055415.tif 000008
【図７】
2014055415.tif 000009
【図８】
2014055415.tif 000010
【図９】
2014055415.tif 000011